(57)【要約】【課題】本明細書は、複数のリアクトルを備えているリアクトルユニットを小型化する技術を提供する。【解決手段】リアクトルユニット２は、リアクトル２０、３０を備えている。リアクトル２０（３０）は、ボルト挿通孔１６（２６）が設けられた突起１２（２１）を有しているとともに、突起のボルト挿通孔が開口している面に沿ってコイルの端子１５（２４）が延びている。夫々の端子１５、２４が対向するとともに、夫々のボルト挿通孔１６、２６が同心となるように突起１２、２１が重ねられている。同心に位置している夫々のボルト挿通孔１６、２６を貫通するボルト９ａがベース部品３に固定されている。リアクトル１０、２０の夫々の突起１２、２１が１本のボルト９ａで固定されるとともに、コイルの端子１５、２４もボルト９ａで締結され、電気的に接続される。【選択図】図３
2020136286.tif 000002
【特許請求の範囲】
【請求項１】
コイルを備えている複数のリアクトルが接続されているリアクトルユニットであって、
夫々の前記リアクトルは、ボルト挿通孔が設けられた突起を有しているとともに、前記突起の前記ボルト挿通孔が開口している面に沿って前記コイルの端子が延びており、
隣り合う前記リアクトルの夫々の前記端子が対向するとともに、夫々のボルト挿通孔が同心となるように隣り合う前記リアクトルの前記突起が重ねられており、
同心に位置している前記ボルト挿通孔を貫通するボルトがベース部品に固定されている、リアクトルユニット。
【請求項２】
隣り合う前記リアクトルの夫々の前記端子の間に、別の部品から延びているバスバが挟まれている、請求項１に記載のリアクトルユニット。
【請求項３】
前記ボルト挿通孔には、金属筒が挿通されており、隣り合うリアクトルの一方の前記突起には前記金属筒を囲む外筒部が設けられており、他方の前記リアクトルの前記突起には前記外筒部と嵌合する窪みが設けられている、請求項１又は２に記載のリアクトルユニット。
【発明の詳細な説明】
【技術分野】
【０００１】
本明細書が開示する技術は、コイルを備えている複数のリアクトルが接続されているリアクトルユニットに関する。
【背景技術】
【０００２】
特許文献１に、複数のリアクトルを備えているリアクトルユニットが開示されている。夫々のリアクトルは、個別に冷却器に固定されている。
【先行技術文献】
【特許文献】
【０００３】
【特許文献１】特開２０１７−１７４８８４号公報
【発明の概要】
【発明が解決しようとする課題】
【０００４】
特許文献１は、複数のリアクトルの冷却に関する技術を開示している。特許文献１のリアクトルユニットでは、夫々のリアクトルが個別に冷却器に固定されており、リアクトルユニット全体の小型化については配慮されていない。本明細書は、複数のリアクトルを備えているリアクトルユニットを小型化する技術を提供する。
【課題を解決するための手段】
【０００５】
本明細書が開示するリアクトルユニットは、複数のリアクトルを備えている。夫々のリアクトルは、ボルト挿通孔が設けられた突起を有しているとともに、突起のボルト挿通孔が開口している面に沿ってコイルの端子が延びている。隣り合うリアクトルの夫々のリアクトルの端子が対向するとともに、夫々のボルト挿通孔が同心となるように隣り合うリアクトルの突起が重ねられている。同心に位置している夫々のボルト挿通孔を貫通するボルトがベース部品に固定されている。本明細書が開示するリアクトルユニットでは、隣り合うリアクトルの固定用の突起を重ね、それらを１本のボルトで固定する。それゆえ、２個のリアクトルの夫々の固定用の突起を個別にボルトで固定する場合よりもユニット全体を小型化できる。さらに、突起に沿ってコイルの端子を延ばし、突起同士を固定すると同時に端子同士を導通させる。この構造により、突起同士の固定箇所で端子同士を導通させることができ、ユニット全体がさらに小型化できる。
【０００６】
本明細書が開示するリアクトルユニットでは、さらに、隣り合うリアクトルの夫々の端子の間に、別の部品から延びているバスバが挟まれていてもよい。リアクトルの端子同士を導通させるだけでなく、他の部品のバスバも同時に導通させることができ、さらに小型化ができる。
【０００７】
ボルト挿通孔には、金属筒が挿通されており、隣り合うリアクトルの一方の突起には金属筒を囲む外筒部が設けられており、他方のリアクトルの突起には外筒部の先端と嵌合する窪みが設けられていてもよい。金属筒は、突起の強度を高める。外筒部と窪みは、金属筒と端子との短絡を防止する。
【０００８】
本明細書が開示する技術の詳細とさらなる改良は以下の「発明を実施するための形態」にて説明する。
【図面の簡単な説明】
【０００９】
【図１】実施例のリアクトルユニットの平面図である。
【図２】図１のII−II線に沿った断面図である。
【図３】図２に対応する分解図である。
【図４】図１のIV−IV線に沿った断面図である。
【図５】図１のＶ−Ｖ線に沿った断面図である。
【図６】実施例のリアクトルユニットの適用例である双方向ＤＣ−ＤＣコンバータの回路図である。
【図７】変形例のリアクトルユニットの平面図である。
【図８】変形例のリアクトルユニットの適用例である多相昇圧コンバータの回路図である。
【発明を実施するための形態】
【００１０】
図面を参照して実施例のリアクトルユニット２を説明する。図１に、リアクトルユニット２の平面図を示す。リアクトルユニット２は、２個のリアクトル１０、２０がベース部品３に固定されたデバイスである。ベース部品３は、リアクトル１０、２０を冷却する冷却器を兼ねているが、ベース部品３の冷却器の構造は図示を省略する。リアクトルユニット２には、端子台３０が接続されている。説明の都合上、図中の座標系の＋Ｚ方向を「上」と定義する。理解を助けるために、図１では、導電部材（端子１５、２５、バスバ３３、３４）をグレーで示してある。
【００１１】
リアクトル１０は、コイル１８が樹脂カバー１９で覆われた構造を有している。コイル１８は磁性体のコアに巻回されているが、図１ではコアの図示は省略した。コイル１８は樹脂カバー１９で覆われているので隠れ線（破線）で示してある。
【００１２】
樹脂カバー１９には固定用の３個の突起１１、１２、１３が設けられている。３個の突起１１、１２、１３は、リアクトル１０を平面視したときにコイル１８を囲むように配置されている。詳しくは後述するが、突起１１、１２、１３の夫々には、ボルトを挿通するボルト挿通孔が設けられており、そのボルト挿通孔にボルト９が挿通され、そのボルト９がベース部品３に固定される。なお、図１には複数のボルト９ａ−９ｅが描かれているが、それら複数のボルトを総称する場合に、ボルト９と表記する。
【００１３】
コイル１８は２個の端子を有している。「コイルの端子」とは、コイルの巻線の両端を意味する。一方の端子１５は、突起１２の上面に沿って延びている。他方の端子は、突起１１の下面に沿って延びているので図１では見えない。
【００１４】
リアクトル２０はリアクトル１０の隣に位置している。リアクトル２０はリアクトル１０と同じ構造を有しており、コイル２８を覆う樹脂カバー２９と、樹脂カバー２９の周囲から突出する３個の突起２１、２２、２３を備えている。３個の突起２１、２２、２３の夫々には、ボルトを挿通するボルト挿通孔が設けられており、そのボルト挿通孔にボルト９が挿通され、そのボルト９がベース部品３に固定される。
【００１５】
コイル２８の一方の端子２５は、突起２２の上面に沿って延びている。コイル２８の他方の端子は突起２１の下面に沿って延びているので図１では見えない。
【００１６】
ベース部品３の上に隣り合うように配置されているリアクトル１０、２０は、電気的に接続されている。リアクトル１０の一方の端子１５がリアクトル２０の他方の端子（図１では隠れて見えない）と導通している。図１のII−II線に沿った部位でリアクトル１０の一方の端子１５とリアクトル２０の他方の端子が電気的に接続されている。図２に、図１のII−II線に沿った断面図を示す。図３に、図２の断面図の部品を分離した分解図を示す。
【００１７】
図２と図３を参照しつつ、リアクトル１０とリアクトル２０の固定構造と電気的な接続構造を説明する。リアクトル１０の突起１２とリアクトル２０の突起２１は、１本のボルト９ａでベース部品３に共締めにて固定される。突起１２には、ボルト９ａが挿通されるボルト挿通孔１６が設けられており、突起２１にはボルト挿通孔２６が設けられている。また、先に述べたように、突起１２のボルト挿通孔１６が開口している上面に沿って、コイル１８の一方の端子１５が延びている。端子１５は板状であり、貫通孔１５ａが設けられている。端子１５は、貫通孔１５ａが突起１２のボルト挿通孔１６と同心となるように配置されている。
【００１８】
リアクトル２０の他方の端子２４は、突起２１のボルト挿通孔２６が開口している下面に沿って延びている。端子２４も板状であり、貫通孔２４ａが設けられている。端子２４は、貫通孔２４ａがボルト挿通孔２６と同心となるように配置されている。
【００１９】
リアクトル１０の突起１２とリアクトル２０の突起２１は、端子１５と端子２４が対向するとともに、夫々のボルト挿通孔１６、２６が同心となるように重ねられる。なお、端子１５と端子２４の間に、端子台３０から延びているバスバ３４が挟まれる。バスバ３４も板状であり、貫通孔３４ａを有している。バスバ３４は、貫通孔３４ａが貫通孔２４ａ、１５ａと同心となるように配置される。ボルト挿通孔１６、２６が同心となるように重ねられた突起１２と突起２１にボルト９ａが挿通される。ボルト９ａはベース部品３に固定される。ボルト９ａによって、突起１２と突起２１、すなわち、リアクトル１０、２０がベース部品３に固定される。
【００２０】
なお、ボルト挿通孔１６、２６には、金属筒４が挿通され、金属筒４の内側をボルト９ａが通っている。金属筒４は、樹脂製の突起１２、２１が潰れないように補強のために備えられている。ベース部品３も金属製である。金属筒４を介して端子１５、２４、バスバ３４がベース部品３と短絡しないように、突起２１には金属筒４を囲むように突出する外筒部２７が設けられている。突起２１の外筒部２７は、突起１２に向かって延びている。突起１２の外筒部２７と対向する部位には窪み１７が設けられている。突起２１と突起１２が組み合わせられると、外筒部２７の先端が窪み１７に嵌合する。外筒部２７が、端子１５、２４、バスバ３４を金属筒４から遮断する。なお、樹脂カバー１９、２９、突起１１、１２、１３、２１、２２、２３はいずれも絶縁性の樹脂で作られている。
【００２１】
上記の締結構造は、次の利点を与える。リアクトル１０の突起１２とリアクトル２０の突起２１は、１本のボルト９ａでベース部品３に共締めされる。リアクトル１０の固定箇所（突起１２）とリアクトル２０の固定箇所（突起２１）を重ねて１本のボルト９ａでベース部品３に固定するので、リアクトルユニット２が小型化できる。
【００２２】
また、リアクトル１０の端子１５とリアクトル２０の端子２４が突起１２と突起２１に挟まれ、ボルト９ａで共締めされる。リアクトル１０、２０を固定するボルト９ａが端子１５、２４の電気的接続状態の保持も兼ねる。この構造も、リアクトルユニット２の小型化に貢献する。さらに、端子１５、２４の間に端子台３０から延びるバスバ３４が挟まれ、バスバ３４もボルト９ａで固定される。この点も、リアクトルユニット２の小型化に貢献する。
【００２３】
図１に戻って、他の突起の締結構造について説明する。リアクトル１０の突起１１は、端子台３０から延びている支持梁３１とともに、ボルト９ｂでベース部品３に共締めされる。図１のIV−IV線の箇所が突起１１と支持梁３１の締結箇所である。図４に、図１のIV−IV線に沿った断面図を示す。
【００２４】
突起１１は、ボルト９ｂが挿通されるボルト挿通孔１６を有している。突起１１のボルト挿通孔１６が開口している下面に沿ってリアクトル１０のコイル１８の一方の端子１４が延びている。端子１４は板状であり、貫通孔を有している。端子１４は、貫通孔がボルト挿通孔１６と同心となるように配置されている。
【００２５】
支持梁３１にもボルト９ｂが挿通されるボルト挿通孔３６が設けられている。支持梁３１のボルト挿通孔３６が開口している上面に沿ってバスバ３３が延びている。バスバ３３も板状であり、貫通孔を有している。バスバ３３は、貫通孔がボルト挿通孔３６と同心となるように配置されている。
【００２６】
突起１１と支持梁３１は、端子１４とバスバ３３が対向するとともに、ボルト挿通孔１６、３６が同心となるように重ねられる。重ねられた突起１１と支持梁３１のボルト挿通孔１６、３６（及び、端子１４とバスバ３３の貫通孔）にボルト９ｂが挿通される。ボルト９ｂはベース部品３に固定される。上記の締結構造により、リアクトル１０の突起１１がベース部品３に固定されるとともに、リアクトル１０のコイル１８の端子１４と端子台３０から延びているバスバ３３が電気的に接続される。
【００２７】
なお、ボルト挿通孔１６、３６の内側には金属筒４ｂが挿通され、金属筒４ｂの内側にボルト９ｂが挿通される。金属筒４ｂと端子１４、バスバ３３との短絡を防止するため、図３に示した外筒部２７と窪み１７と同様の構造が突起１１と支持梁３１にも設けられている。
【００２８】
図１に示すように、リアクトル２０の突起２２は、端子台３０から延びている支持梁３２とともに、ボルト９ｃでベース部品３に共締めされる。図１のＶ−Ｖ線の箇所が突起２２と支持梁３２の締結箇所である。図５に、図１のＶ−Ｖ線に沿った断面図を示す。
【００２９】
突起２２は、ボルト９ｃが挿通されるボルト挿通孔２６を有している。突起２２のボルト挿通孔２６が開口している上面に沿ってリアクトル２０のコイル２８の一方の端子２５が延びている。端子２５は板状であり、貫通孔を有している。端子２５は、貫通孔がボルト挿通孔２６と同心となるように配置されている。
【００３０】
支持梁３２にもボルト９ｃが挿通されるボルト挿通孔３７が設けられている。支持梁３２のボルト挿通孔３７が開口している下面に沿ってバスバ３５が延びている。バスバ３５も板状であり、貫通孔を有している。バスバ３５は、貫通孔がボルト挿通孔３７と同心となるように配置されている。
【００３１】
突起２２と支持梁３２は、端子２５とバスバ３５が対向するとともに、ボルト挿通孔２６、３７が同心となるように重ねられる。重ねられた突起２２と支持梁３２のボルト挿通孔１６、３７（及び、端子２５とバスバ３５の貫通孔）にボルト９ｃが挿通される。ボルト９ｃはベース部品３に固定される。上記の締結構造により、リアクトル２０の突起２２がベース部品３に固定されるとともに、リアクトル２０のコイル２８の端子２５と端子台３０から延びているバスバ３５が電気的に接続される。
【００３２】
なお、ボルト挿通孔１６、３７の内側には金属筒４ｂが挿通され、金属筒４ｂの内側にボルト９ｃが挿通される。金属筒４ｂと端子２５、バスバ３５との短絡を防止するため、図３に示した外筒部２７と窪み１７と同様の構造が突起２２と支持梁３２にも設けられている。
【００３３】
図４、図５に示した締結構造に共通する特徴を以下に述べる。図４と図５は、リアクトル１０（２０）と端子台３０の締結構造を表している。リアクトル１０（２０）は、ボルト挿通孔１６（２６）が設けられた突起１１（２２）を備えている。突起１１（２２）のボルト挿通孔１６（２６）が開口している面に沿ってコイル１８（２８）の端子１４（２５）が延びている。端子台３０からは支持梁３１（３２）が延びており、支持梁３１（３２）にもボルト挿通孔３６（３７）が設けられている。支持梁３１（３２）のボルト挿通孔３６（３７）が開口している面に沿ってバスバ３３（３５）が延びている。突起１１（２２）と支持梁３１（３２）は、端子１４（２５）とバスバ３３（３５）が対向するとともに、ボルト挿通孔１６と３６（２６と３７）が同心となるように重ねられる。ボルト挿通孔１６と３６（２６と３７）をボルト９ｂ（９ｃ）が通り、ボルト９ｂ（９ｃ）がベース部品３に固定される。こうして、リアクトル１０（２０）の突起１１（２２）と端子台３０の支持梁３１（３２）が締結されるとともに、端子１４（２５）とバスバ３３（３５）が電気的に接続される。
【００３４】
上記の締結構造は、リアクトルと端子台を締結するとともに、リアクトルの端子と端子台から延びているバスバを電気的に接続する。上記の構造は、装置（リアクトルユニット２）の小型化に貢献する。
【００３５】
図１に戻り、残りの突起１３、２３の締結構造について説明する。突起１３にもボルト挿通孔が設けられており、そのボルト挿通孔にボルト９ｄが挿通され、ボルト９ｄはベース部品３に固定される。突起２３にもボルト挿通孔が設けられており、そのボルト挿通孔にボルト９ｅが挿通され、ボルト９ｅはベース部品３に固定される。
【００３６】
実施例のリアクトルユニット２の適用例を説明する。一例では、リアクトルユニット２は、双方向ＤＣ−ＤＣコンバータ１００に適用される。図６は、双方向ＤＣ−ＤＣコンバータ１００の回路図である。説明の便宜上、双方向ＤＣ−ＤＣコンバータ１００を単純にコンバータ１００と称する。コンバータ１００は、低圧端１１０に印加された電圧を昇圧して高圧端１１１から出力する昇圧機能と、高圧端１１１に印加された電圧を降圧して低圧端１１０から出力する降圧機能を備えている。コンバータ１００は、典型的には、電気自動車に搭載され、バッテリと、走行用のモータを駆動するインバータとの間に接続される。コンバータ１００は、バッテリの電圧を昇圧してインバータに供給する。モータが逆駆動されて発電する場合は、コンバータ１００は、インバータが交流から直流に変換した回生電力を降圧し、その電力でバッテリを充電する。
【００３７】
コンバータ１００は、フィルタコンデンサ１０５、２個のリアクトル１０、２０、２個のスイッチング素子１０１、１０２、２個のダイオード１０３、１０４、平滑コンデンサ１０６を備えている。２個のリアクトル１０、２０が、前述したリアクトルユニット２に対応する。
【００３８】
２個のスイッチング素子１０１、１０２は、高圧端正極１１１ａと高圧端負極１１１ｂの間に直列に接続される。スイッチング素子１０１にダイオード１０３が逆並列に接続され、スイッチング素子１０２にダイオード１０４が逆並列に接続される。高圧端正極１１１ａと高圧端負極１１１ｂの間に平滑コンデンサ１０６が接続される。低圧端正極１１０ａと低圧端負極１１０ｂの間にはフィルタコンデンサ１０５が接続される。低圧端負極１１０ｂと高圧端負極１１１ｂは直接に接続される。
【００３９】
リアクトル１０の一方の端子とリアクトル２０の一方の端子は、低圧端正極１１０ａに接続される。リアクトル１０の他方の端子とリアクトル２０の他方の端子は、２個のスイッチング素子１０１、１０２の直列接続の中点に接続される。２個のリアクトル１０、２０は並列に接続されており、電気的には１個のリアクトルとして機能する。スイッチング素子１０２とダイオード１０３が主に昇圧動作に寄与し、スイッチング素子１０１とダイオード１０４が主に降圧動作に寄与する。
【００４０】
図６の符号Ａが示す箇所が、図３においてリアクトル１０の端子１５とリアクトル２０の端子２４がバスバ３４を挟んで重ねられている箇所に相当する。図６の符号Ｂ、Ｃが示す箇所は、夫々、図４、図５の締結箇所に相当する。２個のリアクトル１０、２０のスイッチング素子側の連結点が図３の締結箇所に相当してもよい。
【００４１】
（変形例）リアクトルユニットの変形例について説明する。図７に変形例のリアクトルユニット２ａの平面図を示す。リアクトルユニット２ａは、４個のリアクトル１０、２０、４０、５０と端子台３０ａがベース部品３ａに固定されているデバイスである。図７でも、導体部品（バスバ３４、端子１５、２５等）は、グレーのハッチングで示してある。
【００４２】
隣り合うリアクトル１０、２０と、端子台３０ａの締結構造は図１のリアクトルユニット２と同じである。すなわち、リアクトル１０は、ボルト挿通孔が設けられた突起１２を有しているとともに、突起１２のボルト挿通孔１６が開口している上面に沿ってコイルの端子１５が延びている（図３参照）。
【００４３】
リアクトル２０は、ボルト挿通孔が設けられた突起２１を有しているとともに、突起２１のボルト挿通孔２６が開口している下面に沿ってコイルの端子２４が延びている（図３参照）。夫々の端子１５、２４が相互に導通するように突起１２、２１が重ねられているとともに、隣り合うリアクトル１０、２０がボルト挿通孔１６、２６を貫通するボルト９ａでベース部品３に固定されている。隣り合うリアクトル１０、２０の夫々の端子１５、２４の間に、端子台３０ａから延びているバスバ３４が挟まれている。
【００４４】
隣り合うリアクトル４０、５０の締結構造についてもリアクトル１０、２０の締結構造と同じであるので詳しい説明は省略する。変形例のリアクトルユニット２ａは、実施例のリアクトルユニット２と同じ特徴を有しているので、小型化に有利である。
【００４５】
変形例のリアクトルユニット２ａの適用例を説明する。一例では、リアクトルユニット２ａは、多相昇圧コンバータ２００に適用される。図８は、多相昇圧コンバータ２００の回路図である。説明の便宜上、多相昇圧コンバータ２００を単純に多相コンバータ２００と称する。多相コンバータ２００は、低圧端２１０に印加された電圧を昇圧して高圧端２１１から出力することができる。多相コンバータ２００は、並列に接続された４個の昇圧コンバータ回路２０１−２０４を備えている。低圧端正極２１０ａと低圧端負極２１０ｂは、４個の昇圧コンバータ回路２０１−２０４に共通である。高圧端正極２１１ａと高圧端負極２１１ｂも、４個の昇圧コンバータ回路２０１−２０４に共通である。
【００４６】
昇圧コンバータ回路２０１を説明する。昇圧コンバータ回路２０１は、スイッチング素子２１２、ダイオード２１３、２１４、リアクトル１０を備えている。ダイオード２１３のカソードが高圧端正極２１１ａに接続されており、アノードはスイッチング素子２１２のドレインに接続されている。スイッチング素子２１２のソースは高圧端負極２１１ｂに接続されている。なお、高圧端負極２１１ｂは、低圧端負極２１０ｂに直接に接続されている。スイッチング素子２１２に対してダイオード２１４が逆並列に接続されている。リアクトル１０は、その一端が低圧端正極２１０ａに接続されており、他端は、ダイオード２１３とスイッチング素子２１２の直列接続の中点に接続されている。スイッチング素子２１２を駆動することで、低圧端２１０に印加された電圧が昇圧されて高圧端２１１から出力される。
【００４７】
昇圧コンバータ回路２０２は、スイッチング素子２２２、ダイオード２２３、２２４、リアクトル２０を備えている。昇圧コンバータ回路２０３は、スイッチング素子２３２、ダイオード２３３、２３４、リアクトル４０を備えている。昇圧コンバータ回路２０４は、スイッチング素子２４２、ダイオード２４３、２４４、リアクトル５０を備えている。昇圧コンバータ回路２０２−２０４の構造は、昇圧コンバータ回路２０１と同じであるので、説明は割愛する。高圧端正極２１１ａと高圧端負極２１１ｂの間に平滑コンデンサ２０６が接続されている。
【００４８】
図８によく示されているように、リアクトル１０、２０、４０、５０が、変形例のリアクトルユニット２ａで提供される。
【００４９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
２、２ａ：リアクトルユニット
３、３ａ：ベース部品
４、４ｂ：金属筒
９、９ａ−９ｅ：ボルト
１０、２０、４０、５０：リアクトル
１１、１２、１３、２１、２２、２３：突起
１４、１５、２４、２５：端子
１６、２６、３６、３７：ボルト挿通孔
１７：窪み
１８、２８：コイル
１９、２９：樹脂カバー
２７：外筒部
３０、３０ａ：端子台
３１、３２：支持梁
３３、３４、３５：バスバ
１００：双方向ＤＣ−ＤＣコンバータ
２００：多相昇圧コンバータ
【図１】
2020136286.tif 000003
【図２】
2020136286.tif 000004
【図３】
2020136286.tif 000005
【図４】
2020136286.tif 000006
【図５】
2020136286.tif 000007
【図６】
2020136286.tif 000008
【図７】
2020136286.tif 000009
【図８】
2020136286.tif 000010